(57)【要約】【課題】印刷機器に備えられたクリーニング手段に関し、クリーニング動作に対するユーザー毎の嗜好に合致させつつ、印刷品質的に不必要なクリーニングが実行されるのを低減させる。【解決手段】複数のユーザーをそれぞれ識別するユーザーＩＤと、ユーザー毎にクリーニング手段４０２の動作条件を設定する動作設定データとを関連づけて記憶保持するユーザーデータベース４０３ｂと、前回の動作時からの状態変化を監視する監視部５０３と、印刷動作時に、印刷動作を指示したユーザーを識別するユーザー識別部５０５と、識別されたユーザーのユーザーＩＤに基づいて、当該ユーザーの動作設定データを読み出す動作設定取得部５０６ａと、動作設定データと、プリンターの状態変化とを比較し、クリーニング動作の可否を判定する判定部５０２と、判定結果に応じてクリーニング駆動を制御する駆動制御部５０１とを備える。【選択図】  図２
2009045901.tif 000002
【特許請求の範囲】
【請求項１】
印刷機器に備えられたクリーニング手段の制御装置であって、
複数のユーザーをそれぞれ識別するユーザー識別子と、該ユーザー毎に前記クリーニング手段の動作条件を設定する動作設定データとを関連づけて記憶保持する記憶手段と、
前回の動作時からの状態変化を監視する監視手段と、
印刷動作時に、印刷動作を指示したユーザーを識別するユーザー識別手段と、
前記ユーザー識別手段により識別されたユーザーのユーザー識別子に基づいて、前記記憶手段を照合し、当該ユーザーの動作設定データを読み出す動作設定取得手段と、
前記動作設定取得手段が取得した動作設定データと、前記監視手段から取得される状態変化に関する情報とを比較し、前記クリーニング手段の動作の可否を判定する判定手段と、
前記判定手段による判定結果に応じて該クリーニング手段の駆動を制御する駆動制御手段と
を備えることを特徴とする印刷機器の制御装置。
【請求項２】
前記動作設定データ及び前記状態変化には時間経過に関する情報が含まれ、
前記監視手段は、前回の動作時からの経過時間を測定するタイマー手段を備え、
前記判定手段は、動作設定データに含まれる経過時間設定と、前記タイマー手段が測定した経過時間とを比較する
ことを特徴とする請求項１に記載の印刷機器の制御装置。
【請求項３】
前記動作設定データ及び前記状態変化には印刷枚数に関する情報が含まれ、
前記監視手段は、印刷枚数をカウントするカウンター手段を備え、
前記判定手段は、動作設定データに含まれる印刷枚数設定と、前記カウンター手段が測定した印刷枚数とを比較する
ことを特徴とする請求項１に記載の印刷機器の制御装置。
【請求項４】
印刷機器に備えられたクリーニング手段の制御方法であって、
予め、複数のユーザーをそれぞれ識別するユーザー識別子と、該ユーザー毎に前記クリーニング手段の動作条件を設定する動作設定データとを関連づけて記憶手段に記憶保持させておき、
前回の動作時からの状態変化を、監視手段により監視する監視ステップと、
印刷動作時に、印刷動作を指示したユーザーを、ユーザー識別手段で識別するユーザー識別ステップと、
前記ユーザー識別手段により識別されたユーザーのユーザー識別子に基づいて、前記記憶手段を照合し、当該ユーザーの動作設定データを読み出す動作設定取得ステップと、
前記動作設定取得手段が取得した動作設定データと、前記監視手段から取得される状態変化に関する情報とを比較し、前記クリーニング手段の動作の可否を、判定手段により判定する判定ステップと、
前記判定手段による判定結果に応じて該クリーニング手段の駆動を駆動制御手段により制御する駆動制御ステップと
を備えることを特徴とする印刷機器の制御方法。
【請求項５】
前記動作設定データ及び前記状態変化には時間経過に関する情報が含まれ、
前記監視ステップでは、タイマー手段により前回の動作時からの経過時間を測定し、
前記判定ステップでは、動作設定データに含まれる経過時間設定と、前記タイマー手段が測定した経過時間とを比較する
ことを特徴とする請求項４に記載の印刷機器の制御方法。
【請求項６】
前記動作設定データ及び前記状態変化には印刷枚数に関する情報が含まれ、
前記監視ステップでは、カウンター手段により印刷枚数をカウントし、
前記判定ステップでは、動作設定データに含まれる印刷枚数設定と、前記カウンター手段が測定した印刷枚数とを比較する
ことを特徴とする請求項４に記載の印刷機器の制御方法。
【発明の詳細な説明】
【技術分野】
【０００１】
本発明は、インクジェット方式の印刷機器に備えられたクリーニング手段の制御装置及び制御方法に関する。
【背景技術】
【０００２】
従来、インクジェットプリンタ等の印刷機器では、その印字品質が低下するのを防止するために、ヘッドをクリーニングする機構を備えたものが開発されている。このクリーニング機構の動作では、通常、インクを余計に消費することから頻繁に実行するのは不経済であり、その動作頻度はなるべく低い方が好ましい。
【０００３】
これに対し、従来では、電源投入時や所定文字数（又は頁数）を印刷する毎など、ある一定期間の間隔にてクリーニング処理を実行する設定となっているものがある（例えば、特許文献１）。この特許文献１に開示された技術では、クリーニング回数を計数し、そのカウンタの値に基づいて自動的にクリーニングのタイミングを調整している。
【０００４】
ところが、経済性よりも、印字品質を優先させたいユーザーもいることから、上述した自動的なクリーニング動作以外に、ユーザーの任意のマニュアル操作によって、任意のタイミングでクリーニングを行う手段が用意されているのが通常である。
【特許文献１】特開平６−３１６０６２
【発明の開示】
【発明が解決しようとする課題】
【０００５】
しかしながら、上述したマニュアル操作でのクリーニング動作は、それ以前のクリーニング時期を無視して強行されるため、前回のクリーニング動作からさほど時間が経過しておらず、印字品質的にも不必要なクリーニングであっても、実行されることとなる。
【０００６】
特に、ネットワークプリンタのように複数人のユーザーが使用するような環境では、ユーザー毎にクリーニングに対する重要性が異なるうえに、他のユーザーによるクリーニング動作の実行が互いに把握できないことから、不要なクリーニングが実行されている可能性がある。
【０００７】
そこで、本発明は、上記のような問題を解決するものであり、印刷機器に備えられたクリーニング手段に関し、クリーニング動作に対するユーザー毎の嗜好に合致させつつ、印刷品質的に不必要なクリーニングが実行されるのを低減させることのできる印刷機器の制御装置及び制御方法を提供することを目的とする。
【課題を解決するための手段】
【０００８】
上記課題を解決するために、本発明は、印刷機器に備えられたクリーニング手段の制御装置であって、複数のユーザーをそれぞれ識別するユーザー識別子と、ユーザー毎にクリーニング手段の動作条件を設定する動作設定データとを関連づけて記憶保持する記憶手段と、前回の動作時からの状態変化を監視する監視手段と、印刷動作時に、印刷動作を指示したユーザーを識別するユーザー識別手段と、ユーザー識別手段により識別されたユーザーのユーザー識別子に基づいて、記憶手段を照合し、当該ユーザーの動作設定データを読み出す動作設定取得手段と、動作設定取得手段が取得した動作設定データと、監視手段から取得される状態変化に関する情報とを比較し、クリーニング手段の動作の可否を判定する判定手段と、判定手段による判定結果に応じてクリーニング手段の駆動を制御する駆動制御手段とを備える。
【０００９】
また、他の発明は、印刷機器に備えられたクリーニング手段の制御方法であって、予め、複数のユーザーをそれぞれ識別するユーザー識別子と、ユーザー毎にクリーニング手段の動作条件を設定する動作設定データとを関連づけて記憶手段に記憶保持させておき、
(1)前回の動作時からの状態変化を、監視手段により監視する監視ステップと、
(2)印刷動作時に、印刷動作を指示したユーザーを、ユーザー識別手段で識別するユーザー識別ステップと、
(3)ユーザー識別手段により識別されたユーザーのユーザー識別子に基づいて、記憶手段を照合し、当該ユーザーの動作設定データを読み出す動作設定取得ステップと、
(4)動作設定取得手段が取得した動作設定データと、監視手段から取得される状態変化に関する情報とを比較し、クリーニング手段の動作の可否を、判定手段により判定する判定ステップと、
(5)判定手段による判定結果に応じてクリーニング手段の駆動を駆動制御手段により制御する駆動制御ステップと
を備える。
【００１０】
なお、上記発明において、動作設定データ及び状態変化に関する情報には、例えば、前回のクリーニング時からの時間経過又は印刷枚数に関する情報が含まれ、監視手段は、前回の動作時からの経過時間を測定するタイマー手段、又は印刷枚数をカウントするカウンター手段を備え、判定手段は、動作設定データに含まれる経過時間設定とタイマー手段が測定した経過時間とを、或いは印刷枚数設定とカウンター手段が測定した印刷枚数とを比較することが好ましい。
【００１１】
このような本発明によれば、印刷機器を使用するユーザー毎に、クリーニング動作を実行する条件（前回のクリーニング実行時からのプリント枚数や、経過時間など）を設定し、印刷実行に係るユーザー毎にクリーニング動作の条件と一致しているかどうかを判断し、ユーザーの毎のクリーニング処理の要求に見合う動作を実現することができる。
【発明の効果】
【００１２】
以上述べたように、この発明によれば、インクジェットプリンタ等の印刷機器に備えられたクリーニング手段に関し、クリーニング動作に対するユーザー毎の嗜好に合致させつつ、印刷品質的に不必要なクリーニングが実行されるのを低減し、インク等の無駄な浪費を回避してコストパフォーマンスの向上を図ることができる。
【発明を実施するための最良の形態】
【００１３】
（印刷機器の構成）
以下に添付図面を参照して、本発明に係る印刷機器の制御装置の実施形態を詳細に説明する。図１は、本実施形態に係る印刷機器の制御装置の全体構成を示す概略図である。なお、本実施形態では、制御装置４０３ａをインクジェットプリンタ４に設けた場合を例に説明する。
【００１４】
本実施形態に係るインクジェットプリンタ４は、原稿を読み取って複写する機能や、ＬＡＮ等のネットワーク４０３ｄに接続される、いわゆるネットワークプリンタとしての機能を備えており、ユーザーは、本体の画像読取部４０１から画像を読み込ませて複写したり、ネットワーク４０３ｄ上のユーザー端末からジョブデータを送信したりする操作により、印刷を実行することができる。
【００１５】
具体的にこのインクジェットプリンタ４は、装置本体上部の画像読取部４０１と、本体内部において印字を行うプリンター部４０４と、プリンター部４０４に対して印刷用紙５を供給する給紙部４０５及びベルト搬送部４０６と、印刷された印刷用紙５を排紙する排紙部４０９と、これらの各部の動作を制御する制御装置４０３ａと、印刷指示など、所定の処理の指示が入力可能なタッチパネル４１０と、ネットワーク４０３ｄに接続するための通信インターフェース４０３ｃとを備えている。
【００１６】
給紙部４０５は、印刷に際し、給紙台にストックされた印刷用紙５を、給紙ローラー４０５ｂ及びレジストローラー対４１１等によって、プリンター部４０４に１枚ずつ供給する機構である。ベルト搬送部４０６は、周回する環状の搬送ベルトと、搬送ベルトを周回駆動させる複数の搬送ベルトローラーとを有する。これら搬送ベルトと搬送ベルトローラーとは協働して印刷用紙を搬送するための搬送路であるベルトコンベヤを構成し、インク吐出時の印刷用紙５の搬送方向を規制する。
【００１７】
プリンター部４０４は、画像読取部４０１で読み取られたデジタル画像信号や、ユーザー端末から受信されたジョブデータに基づいて所定の印刷用紙に画像を記録する機構であり、制御装置４０３ａから出力された処理済みデジタル画像信号に基づいて、インクジェットヘッドからインクを印刷用紙に吐出して画像を記録する。
【００１８】
さらに、このプリンター部４０４には、クリーニング手段４０２が設けられている。このクリーニング手段４０２は、インクジェットヘッド部分をクリーニングする機構であり、例えば、モーター駆動によって、ヘッドのノズル表面でワイプ部材を摺動させ、ゴミ等の付着物や液だれを除去する。クリーニング手段４０２のモーター駆動は、制御装置４０３ａからの駆動信号により制御される。
【００１９】
画像読取部４０１は、スキャナー等の装置によって原稿の画像を光電的に読み取り、画像を構成する各画素のＲ成分、Ｇ成分及びＢ成分のデジタル画像信号として出力する。この画像読取部４０１から出力されたデジタル画像信号は、制御装置４０３ａに入力されて所定の画像処理が施され、処理済みのデジタル画像信号は、プリンター部４０４から出力される。なお、この制御装置４０３ａにおける画像処理の際に、上述したＱＲコード等のコード５１をデジタル画像信号内に付加することができる。
【００２０】
排紙部４０９は、排紙選択部や排紙ローラー対、及び排紙台４０９ｃを有し、搬送選択部と排紙ローラー対が、制御装置４０３ａからの駆動信号に応じて駆動制御されることにより、ベルト搬送部４０６からの印刷用紙５を排紙部４０９に導くか、又は、両面用ベルト搬送部４０７に導くようになっている。両面用ベルト搬送部４０７は、無端ベルトにより形成されており、片面印刷の施された印刷用紙を上部の反転経路を介して、プリンター部４０４まで搬送するものである。
【００２１】
上記制御装置４０３ａは、ＣＰＵ等の演算処理装置と不揮発性メモリ等の記憶装置とから構成されるモジュールであり、画像読取部４０１から入力されるデジタル画像信号に対して画像処理を実行する際に、各センサーからの信号などに基づいて各部の動作を制御する。図２は、制御装置４０３ａの内部構成を示すブロック図である。
【００２２】
同図に示すように、制御装置４０３ａは、タッチパネル４１０におけるユーザー操作や、ユーザー端末から受信されるジョブデータに基づく操作信号を取得する操作信号取得部５０４と、取得された操作信号に基づいてユーザーを識別するユーザー識別部５０５と、この制御装置４０３ａで取得・演算されたデータを記憶するメモリ部５０７と、操作信号に基づいて印刷処理に係る印刷物や印刷モード（例えば、カラーモード、用紙種類設定、画像設定、両面印刷、片面印刷、Ｎ−ＵＰ印刷、連写印刷など）を判定する印刷種別判定部５０８とを備えている。
【００２３】
また、制御装置４０３ａは、ユーザー毎の情報を記憶保持するためのテーブルデータを格納するユーザーデータベース４０３ｂを備えており、このテーブルデータには、複数のユーザーをそれぞれ識別するユーザーＩＤ（ユーザー識別子）と、ユーザー毎にクリーニング手段の動作条件やその判断基準を設定する動作設定データとが関連づけられて記憶保持されている。この動作条件には、例えば、前回のクリーニング時からの時間経過や印刷枚数に関する情報が含まれている。
【００２４】
ユーザー識別部５０５は、ユーザー操作による操作信号に基づいてユーザーの特定を行う認証モジュールであり、ユーザーに対してＩＤやパスワード等のユーザー識別情報の入力を要求し、入力されたユーザー識別情報に基づいてユーザーデータベース４０３ｂを照合して、操作に係るユーザーが正規のユーザーであるか否かを認定する。認証に成功したユーザーは、そのユーザーを特定するユーザーＩＤが設定管理部５０６に入力され、当該ユーザーに固有のデータがユーザーデータベース４０３ｂから読み出せるようになる。
【００２５】
さらに、制御装置４０３ａは、クリーニング手段の制御に関し、駆動制御部５０１と、判定部５０２と、監視部５０３と、操作信号取得部５０４と、設定管理部５０６とを備えている。
【００２６】
監視部５０３は、インクジェットプリンタ４内に配置された各種センサからの検出信号に基づいて、インクジェットプリンタ４における状態の変化を監視するモジュールであり、特に本実施形態では、前回のクリーニング動作時からの経過時間を測定するタイマー５０３ｂ、及び印刷枚数をカウントするカウンター５０３ａを備えている。この監視部５０３には、メモリ部５０７が接続されており、各センサーからの検出値（前回動作時刻５０７ａや前回動作時におけるカウンター値５０７ｂを含む）をステータス情報として記憶保持している。監視部５０３は、このステータス情報と、カウンター５０３ａにより計測された現在のカウンター値、又はタイマー５０３ｂが計測している現在の時刻との差分とを求め、前回のクリーニング動作時からの経過時刻、印刷枚数等の状態変化を判定部５０２に出力する。
【００２７】
設定管理部５０６は、ユーザーデータベース４０３ｂに対するデータの入出力を管理するモジュールであり、操作信号取得部５０４を通じてユーザーからの操作信号を取得し、それに基づきユーザーデータベース４０３ｂについて、新規の設定を登録したり、既に登録されている設定を変更したり削除したりすることができる。なお、このユーザー設定の登録や編集・削除などの操作は、図３に示すようなタッチパネル４１０や、ユーザー端末の操作画面４１０ａから行うことができる。
【００２８】
また、設定管理部５０６は、クリーニング動作に関する設定をユーザーデータベース４０３ｂから読み出す動作設定取得部５０６ａを有している。この動作設定取得部５０６ａは、ユーザー識別部５０５により識別されたユーザーのユーザーＩＤに基づいて、ユーザーデータベース４０３ｂを照合し、当該ユーザーの動作設定データを読み出すモジュールであり、読み出された動作設定データは判定部５０２に出力される。
【００２９】
判定部５０２は、動作設定取得部５０６ａが取得した動作設定データと、監視部５０３から取得される状態変化に関する情報とを比較し、クリーニング手段４０２の動作の可否を判定するモジュールである。本実施形態では、動作設定データに含まれる経過時間設定とタイマー手段が測定した経過時間とを、或いは動作設定データに含まれる印刷枚数設定とカウンター手段が測定した印刷枚数とを比較し、クリーニング動作の可否を判定する。この判定部５０２における判定結果は、駆動制御部５０１に出力される。
【００３０】
駆動制御部５０１は、判定部５０２による判定結果に応じてクリーニング手段の動作を制御するモジュールであり、クリーニング手段４０２のモータ駆動を制御する駆動信号を出力する駆動信号出力部５０１ａを備えている。
【００３１】
（印刷機器の制御方法）
以上の構成を有する制御装置を動作させることによって、本発明の印刷機器の制御方法を実施することができる。図４は、本実施形態に係る制御方法の手順を示すフローチャート図である。なお、ここでは、ユーザーデータベース４０３ｂに、予め複数のユーザーのユーザーＩＤ及び動作設定データとが記憶保持されているとともに、前回のクリーニング動作時からの状態変化が、監視部５０３によって継続して監視されているものとする。
【００３２】
先ず、ユーザーからのジョブデータの入力があるまでループ処理によりインクジェットプリンタ４が待機状態となっている（Ｓ１０１における”Ｎ”）。そして、ユーザーが印刷操作を行うと、印刷に係るデータがジョブデータとして制御装置４０３ａに入力される（Ｓ１０１における”Ｙ”）。
【００３３】
このジョブデータの入力に応じて、当該ジョブに係るユーザーを識別する（Ｓ１０２）。ここでは、ジョブデータに含まれるユーザーＩＤにより認証を行い、当該ユーザーが登録済みのユーザーであれば（Ｓ１０３における”Ｙ”）、登録されている動作設定データを読み出し、クリーニングを実行する条件を照合する（Ｓ１０４）。一方、ステップＳ１０３において、当該ユーザーが未登録であるときには、該当する動作設定データが存在しないことから、クリーニング動作の条件をデフォルト値に設定する。なお、このとき、新規に動作設定を登録することを促すようにしてもよい。
【００３４】
次いで、判定部５０２において、動作設定データのクリーニング条件と、監視部５０３から取得されるプリンタの状態変化（時間経過や印刷枚数）とを比較し、クリーニング動作の可否を判定する（Ｓ１０６）。プリンタの状態が動作条件を満たしていれば（Ｓ１０６における”Ｙ”）、駆動信号出力部５０１ａから駆動信号を出力してクリーニング動作を実行してから（Ｓ１０９）、プリントを実行する（Ｓ１０９）。このとき、メモリ部５０７において、プリンタ状態を示すステータス情報をクリア（初期化）するとともに（Ｓ１０８）、プリント実行に係る回数分クリーニング判断用のカウンタをアップする。また、ステップＳ１０６で動作条件を満たしていない場合には（Ｓ１０６における”Ｎ”）、クリーニングを行うことなくプリントを実行する（Ｓ１０９）。
【００３５】
ここで、プリント枚数のカウント値が４００枚とし、経過時間を１時間３０分として、図３を例に説明すると、クリーニング判断基準をプリント枚数としているユーザーＡのときは、プリント枚数が条件に満たないためクリーニングは行われず、ユーザーＢであるときは、プリント枚数が満たされるためクリーニングが実行される。一方、判断基準を経過時間としているユーザーＣであるときは、経過時間の条件が満たされているので、プリント枚数に関わらずクリーニングが実行され、ユーザーＤであるときには、経過時間の条件が満たされていないためクリーニングは行われない。
【００３６】
クリーニングが実行（Ｓ１０７）された時点で、プリンタ状態（ステータス情報）が初期化され（Ｓ１０８）、クリーニング判断のカウンタアップや経過時間の計測は、その後も同プリンタにおいて継続して行われることから、一つのジョブが終了した後にユーザーが入れ替わっても、前のユーザーが使用した際のステータス情報は、次のユーザーのジョブについても引き継がれる。例えば、図３を例にすると、クリーニング直後（ステータス情報の初期化直後）に、ユーザーＡが４００枚印刷し、次いでユーザーＢに切り替わるときには、ユーザーＢに切り替わった時点（ユーザーＢからのジョブデータを受けた時点）で、ユーザーＢのクリーニング条件である３００枚を越えているため、印刷前にクリーニングが実行される。一方、ユーザーＢで４００枚印刷した後、ユーザーＡに切り替わるときには、ユーザーＢが３００枚印刷した時点でクリーニングが実行され、ステータス情報が初期化され、その後、１００枚分のカウンタアップされているので、続いてユーザーＡが４００枚印刷した時点で、クリーニングが実行される。
【００３７】
なお、上記図３の例では、クリーニング判断基準をプリント枚数又は経過時間としたが、この両者を併用するようにしてもよい。このとき、プリント枚数と経過時間とのいずれか一方のみが条件を満たす場合には、どちらを優先するかも設定可能とする。また、判断基準として印刷種別判定部５０８で判定される印刷対象物の印字品質要求を用いてもよい。この印字品質要求としては、例えば、印刷媒体の紙質、印刷データの解像度、カラーモードや、用紙種別設定等の印刷モードに応じた印字品質が含まれる。この印字品質に応じて、それぞれのプリント枚数や経過時間を設定するようにしてもよい。
【００３８】
また、例えば、印字品質要求として、ユーザーが画質を優先し、高画質で印刷したい旨をジョブデータに含めた場合のクリーニング条件を、各ユーザー毎に別途設定し、図３のテーブルに保持させるようにしてもよい。同様に、ユーザーが画質を優先せず、低品質での印刷を許容する旨、或いはインクの消費量を低減する旨をジョブデータに含めた場合のクリーニング条件を、ユーザーごとに別途設定し、図３のテーブルに保持させるようにしてもよい。そして、ジョブデータに含まれる上記クリーニング条件に基づいて、例えばユーザーＡが高品質での印刷を設定している場合には、デフォルト設定等により、通常ならば５００枚でクリーニングするところを、その枚数に満たない枚数で印刷実行前にクリーニングを実行し、一方、ユーザーＡが低品質での印刷（インク消費量の低減）を設定している場合には、通常ならば、５００枚でクリーニングするときであっても、８００枚でクリーニングを実行するようにする。
【００３９】
（作用効果）
このような本実施形態に係るクリーニング動作の制御装置及び制御方法によれば、インクジェットプリンタ４を使用するユーザー毎に、クリーニング動作を実行する条件（前回のクリーニング実行時からのプリント枚数や、経過時間など）を設定し、印刷実行に係るユーザー毎にクリーニング動作の条件と一致しているかどうかを判断するため、ユーザーの毎のクリーニング処理の要求に見合う動作を実現することができる。この結果、本実施形態によれば、クリーニング動作に対するユーザー毎の嗜好に合致させつつ、印刷品質的に不必要なクリーニングが実行されるのを低減し、インク等の無駄な浪費を回避してコストパフォーマンスの向上を図ることができる。
【００４０】
なお、上記実施形態では、インクジェットプリンタに本発明を適用した場合を例に説明したが、本発明はこれに限定されるものではなく、他の方式の印刷機器においても適用することができる。
【図面の簡単な説明】
【００４１】
【図１】実施形態に係る印刷機器の制御装置の全体構成を示す概略図である。
【図２】実施形態に係る制御装置４０３ａの内部構成を示すブロック図である。
【図３】実施形態に係る操作画面を示す説明図である。
【図４】実施形態に係る制御方法の手順を示すフローチャート図である。
【符号の説明】
【００４２】
４…インクジェットプリンタ
５…印刷用紙
４０１…画像読取部
４０２…クリーニング手段
４０３ａ…制御装置
４０３ｂ…ユーザーデータベース
４０３ｃ…通信インターフェース
４０３ｄ…ネットワーク
４０４…プリンター部
４０５…給紙部
４０５ｂ…給紙ローラー
４０６…ベルト搬送部
４０７…両面用ベルト搬送部
４０９…排紙部
４０９ｃ…排紙台
４１０…タッチパネル
４１０ａ…操作画面
４１１…レジストローラー対
５０１…駆動制御部
５０１ａ…駆動信号出力部
５０２…判定部
５０３…監視部
５０３ａ…カウンター
５０３ｂ…タイマー
５０４…操作信号取得部
５０５…ユーザー識別部
５０６…設定管理部
５０６ａ…動作設定取得部
５０７…メモリ部
５０７ａ…前回動作時刻
５０７ｂ…カウンター値
５０８…印刷種別判定部
【図１】
2009045901.tif 000003
【図２】
2009045901.tif 000004
【図３】
2009045901.tif 000005
【図４】
2009045901.tif 000006